(57)【要約】【課題】施工時に照明装置と梁との方向性を無くし、作業注意を軽減する。【解決手段】照明装置２は、光を照射する光源と、光源に電力を供給する点灯装置と、光源を外部に実装するとともに点灯装置を内部に実装する本体部と、光源を保護するための略四角形の透光カバーとを備えた照明装置１の、透光カバーの外周を覆う筒状の化粧カバーを備えている。【選択図】図２
2018067402.tif 000002
【特許請求の範囲】
【請求項１】
光を照射する光源と、前記光源に電力を供給する点灯装置と、前記光源を外部に実装するとともに前記点灯装置を内部に実装する本体部と、前記光源を保護する略四角形の透光カバーと、前記透光カバーの外周を囲む筒状の化粧カバーを備えていることを特徴とする照明装置。
【請求項２】
請求項１に記載の照明装置において、
前記化粧カバーは、前記本体部に対し着脱可能であることを特徴とする照明装置。
【発明の詳細な説明】
【技術分野】
【０００１】
本発明は、照明装置に関する。
【背景技術】
【０００２】
従来、例えば、工場等の建築物の高天井に設置する照明装置として、水銀灯を用いた照明装置が主流であった。しかし、近年、水銀灯を用いた照明装置に替わりＬＥＤを用いた照明装置が増加してきている。照明装置は、光を照射する光源（ＬＥＤ）と、光源に電力を供給する点灯装置と、光源を外部に実装するとともに点灯装置を内部に実装する本体部（ケース）と、を備えている（例えば、特許文献１参照）。
【先行技術文献】
【特許文献】
【０００３】
【特許文献１】特開２０１６−１００３１８号公報
【発明の概要】
【発明が解決しようとする課題】
【０００４】
しかしながら、特許文献１に記載された従来技術の照明装置は、高所の天井に設置された状態で見上げた外観形状は直線の立ち上がり面を有する略四角形である。
通常、工場等の高所天井に設置される照明装置は建築物の梁などに取り付けられるが、照明装置の最も目視できる外郭の直線部分と梁の直線部分を直角または平行に取り付ける整列配置が一般的であるため、施工時に照明装置と梁との方向性を注意する必要が生じる課題があった。
【０００５】
本発明は、前記した課題を解決するために考案したものであり、外観形状が略四角形の照明装置を施工する場合において、建築物の梁などとの方向性に対する注意を軽減し施工できる照明装置を提供することを主な目的とする。
【課題を解決するための手段】
【０００６】
前記目的を達成するため、本発明は、光を照射する光源と、前記光源に電力を供給する点灯装置と、前記光源を外部に実装するとともに前記点灯装置を内部に実装する本体部と、前記光源を保護する略四角形の透光カバーと、前記透光カバーの外周を囲む筒状の化粧カバーを備えている。
その他の手段は、後記する。
【発明の効果】
【０００７】
この照明装置は、高所天井に設置された状態で床面方向から見上げた時に最も視認できる外周が略四角形の透過性の透光カバーで光源を覆う構造になっているが、前記透光カバーの外周を囲むように筒状の化粧カバーを設けることで、見上げた時に最も視認できる外周から直線でなる面を排除し、施工時の建築物の梁などに対する方向性（向き）の制約を軽減することができる。
【０００８】
本発明によれば、高所天井などに設置された状態で最も目視される外郭を丸形状（曲面）にすることで、設置される建築物の梁などとの方向性を無くすことができる。
【図面の簡単な説明】
【０００９】
【図１】従来技術の照明装置で床面方向から見た斜視図である。
【図２】実施形態に係る照明装置の床面方向から見た斜視図である。
【図３】実施形態に係る照明装置の天井方向から見た斜視図である。
【図４】実施形態に係る照明装置の背面図である。
【図５】実施形態に係る照明装置の側面図である。
【図６】実施形態に係る照明装置の正面図である。
【図７】実施形態に係る照明装置の断面図である。
【図８】実施形態に係る照明装置の床面方向から見た分解斜視図である。
【図９】実施形態に係る照明装置の天井方向から見た分解斜視図である。
【発明を実施するための形態】
【００１０】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１１】
［実施形態］
＜照明装置の外部構成＞
図１に示す従来実施形態に係る照明装置１は、部品点数を低減すること、装置の軽量化を図ること、装置の冷却効率を向上させること、後記する本体部１０を製造し易くすること等を意図した構造になっており、照明装置１のみでも照明装置として成り立つ。
【００１２】
以下、図１〜図９を参照して本実施形態に係る照明装置２の外部構成について説明する。本実施形態では、照明装置２が工場等の建築物天井の梁１００に設置されているものとして説明する。ただし、照明装置２の設置場所、設置方法はこの限りでない。図１は、従来技術の照明装置１で床面方向から見た斜視図である。図２は、従来技術の照明装置１に化粧カバー９０を取り付けた照明装置２を床方向から見た斜視図であり、図３は、照明装置２の天井方向から見た斜視図である。図４は、照明装置２の背面図である。図５は、照明装置２の側面図である。図６は、照明装置２の正面図である。図７は、実施形態に係る照明装置２の断面図である。図８は、照明装置の床面方向から見た分解斜視図である。図８は、天井方向から見た分解斜視図である。
【００１３】
図１に示すように、従来技術の照明装置１は、特許文献１と同様に略四角形の透光カバーなどから構成せれており、本体部１０と、ＬＥＤ（Ｌｉｇｈｔ  Ｅｍｉｔｔｉｎｇ  Ｄｉｏｄｅ）４１と、図示されていない電源基板３０と、透光カバー６０、アーム７０と、を備えている。
本体部１０は、ＬＥＤ４１を外部に実装するとともに、電源基板３０を内部に実装するケースである。
ＬＥＤ４１は、光を照射する光源である。本実施形態では、光源がＬＥＤ４１で構成されているものとして説明する。しかしながら、光源はＬＥＤ以外の発光部品で構成することができる。ＬＥＤ４１は、光源基板４０（図２及び図６参照）に実装されており、光源基板４０を介して絶縁された状態で後記する載置部１５に載置されており、図示されていないリード線にて電源基板３０から光源基板４０に電力を供給するため電気的に接続されている。透光カバー６０は、下面視形状が略四角形状でＬＥＤ４０の保護、およびＬＥＤ４１から発せられた光を透過する部材である。また、投光カバー６０はＬＥＤ４１から発せられた光を透過させるだけではなく、レンズ形状などを形成することで光の制御も可能とする。
アーム７０は、リベット７１（図３参照）等の締結部材によって本体部１０に締結され、梁１００などに施工ボルト１０１（図５参照）等の締結部材で照明装置１を取り付ける部材である。
口出し線３６が建築物に設けられた図示せぬ屋内配線器具に接続されることによって、図示せぬ外部電源と電気的に接続される。
【００１４】
図２は、照明装置２を床面方向から見た斜視図である。照明装置１に追加して取り付ける化粧カバー９０は、円筒状の化粧枠９１、載置板９２から構成されており、化粧枠９１と載置板９２はネジ等により固定されている。
【００１５】
図７は、照明装置２の断面図である。化粧カバー９０の載置板９２に載置穴９３を形成し、照明装置１の天井面方向から床面方向へと化粧カバー９０を移動させるが、化粧カバー９０の載置板９２に形成した載置穴９３の寸法Ｗ９３と、本体部１０に形成した収納部１１の幅Ｗ１１と、本体部１０に形成した載置部１５の幅Ｗ１５の寸法関係を式１に設定する。これにより、照明装置１に化粧カバー９０を載せることができる。
Ｗ１１ < Ｗ９３ < Ｗ１５  （式１）
【００１６】
化粧カバー９０には、載置板９２の載置穴９３の穴の淵には立壁９４を形成することで、載置穴９３の淵を補強することができ、立壁９４に締結穴を設けることでネジ等により照明装置１との固定を可能にする。本実施形態では、特に本体部１０のヒートシンク１０ａとの固定を可能にするがこの限りではない。なお、化粧カバー９０は照明装置１とは別体であるため、照明装置１を作成後に取り付けることも、取り外すことも容易に可能である。
【００１７】
＜照明装置の主な特徴＞
（１）図２に示すように、光を照射する光源（ＬＥＤ４１）と、光源（ＬＥＤ４１）に電力を供給する点灯装置（電源基板３０）と、光源（ＬＥＤ４１）を外部に実装するとともに点灯装置（電源基板３０）を内部に実装する本体部１０と、光源（ＬＥＤ４１）を保護するための略四角形の透光カバー６０とを備えた照明装置１があり、前記照明装置１の透光カバー６０の外周を覆う丸形カバー（化粧カバー９０）を備えている。
【００１８】
この点について、図１に示すように、従来技術の照明装置１は、天井設置状態で床面から見上げた場合、外郭で最も目視できる透光カバーは略四角形であることから、設置される建屋の梁などとの方向性（直角または並行）を合わせることへの注意を要している。
【００１９】
これに対し、本実施形態に係る照明装置２は、略四角形の透光カバー６０の外周を覆うように円筒形状の化粧カバー９０を配置することで、天井設置状態で床面から見上げた場合に最も目視できる外郭部材は化粧カバー９０の円筒状の化粧枠９１となり、設置される建屋の梁などとの方向性（並行、直角）を合わせることへの注意を無くすことができる。
【００２０】
また、従来技術は、照明装置１の周囲の空気に流動が少ない自然対流による放熱構造であった。  
【００２１】
これに対し照明装置２は、円筒状の化粧カバー９０で透光カバー６０を覆うことにより化粧カバー９０内の空気温度と周囲の空気温度に差が生じ、煙突効果により照明装置１の周囲空気が対流し放熱性を高めることができる。
【００２２】
（２）照明装置１は、図示しない天井から吊り下げされたチェーンなどに取り付けられた場合、チェーンには捩れが生じるため、照明装置１の外観形状である略四角形の立ち上がりと建築物の梁などの方向性（向き）を合わせることは困難であった。
【００２３】
これに対し照明装置２の外観形状は、円筒状の化粧カバー９０で覆われているため、チェーンによる捩れが生じても建築物の梁などとの方向性（向き）が無く、建築物との一体感が得られる。
【００２４】
本発明は、前記した実施形態に限定されるものではなく、様々な変形例が含まれる。例えば、前記した実施形態は、本発明を分かり易く説明するために詳細に説明したものであり、必ずしも説明した全ての構成を備えるものに限定されるものではない。また、実施形態の構成の一部を他の構成に置き換えることが可能であり、また、実施形態の構成に他の構成を加えることも可能である。また、各構成の一部について、他の構成の追加・削除・置換をすることが可能である。
【符号の説明】
【００２５】
１    従来技術の照明装置１
２    本考案技術の照明装置２
１０    本体部
１１    収納部
１５    載置部
３０    電源基板（点灯装置）
３６    口出し線（外部配線）
４０    光源基板
４１    ＬＥＤ（光源）
６０    透光カバー
７０    アーム（取付部材）
７１    リベット（締結部材）
９０    化粧カバー
９１    化粧枠
９２    載置板
９３    載置穴
９４    立壁
１００  建築物天井の梁
１０１  施工ボルト
【図１】
2018067402.tif 000003
【図２】
2018067402.tif 000004
【図３】
2018067402.tif 000005
【図４】
2018067402.tif 000006
【図５】
2018067402.tif 000007
【図６】
2018067402.tif 000008
【図７】
2018067402.tif 000009
【図８】
2018067402.tif 000010
【図９】
2018067402.tif 000011